(57)【特許請求の範囲】
【請求項１】
人が着座するための座面が設けられた着座部と、
該着座部の下面側に配置されて板状に形成され、前記着座部が取り付けられることにより上面側が覆われる座受け体と、
該座受け体の下方に配置されて、前記座受け体を支持するためのベース部と、
着座した人の背中からかかる荷重を支持するための背もたれと、
該背もたれの後傾動作に連動して後傾動作する背アームと、
前記座受け体と前記ベース部とを各々回動可能に連結する後リンク部材と、
該後リンク部材よりも前側に配置されて、前記座受け体と前記ベース部とを相対的に離間する方向に移動可能に連結する前側連結部と、
前記背アームの後傾動作に抗して付勢する付勢手段とを備える椅子であって、
前記後リンク部材は、その上端側を前記座受け体に第一の後回動中心として回動可能に連結されて、その下端側を前記ベース部に前記第一の後回動中心よりも後方を第二の後回動中心として回動可能に連結されており、
前記第一の後回動中心は、前記背アームの前記後傾動作に伴い、該背アームの起立状態の位置よりも後上方向へ変移し、
前記座受け体は、前記座受け体の前側を形成している座受け前部と、
前記座受け体の後側を形成している座受け後部とで構成され、
前記座受け前部と前記座受け後部とは、互いに隣接した境界を前記第一の後回動中心として互いに相対的に回動可能であり、
前記座受け後部は、前記後リンク部材及び前記背アームと一体的に回動可能であり、
前記背アームの前記後傾動作に伴い、前記座受け体が前記後リンク部材の前記各回動中心により回動されて、かつ、前記前側連結部により前記ベース部と前記座受け体とが互いに離間する方向に移動されながら、前記座受け後部、前記後リンク部材及び前記背アームは相対的な位置関係を維持した状態で一体的に回動され、さらに、前記座受け前部が上昇方向へ回動されて前記第一の後回動中心として前記座受け前部に対して前記座受け後部が該座受け後部の後端部も含めて相対的に下がる方向へ回動され、
前記後リンク部材は、弾性的に付勢するばね部材を連結するための後リンク連結部を備え、
前記付勢手段は、前記ばね部材の一端側を前記後リンク連結部に回動可能に連結する、椅子。
【請求項２】
前記着座部は、前記座受け前部の上面に配置されて前記着座部の前側の座面を形成している前側座面を有し、
前記背もたれの後傾動作を行っている状態では、該後傾動作を行わず荷重がかかっていない背もたれの起立時の状態よりも、前記前側座面の後端側が前記前側座面の前端側よりも相対的に上がった状態で配置される請求項１に記載の椅子。
【請求項３】
前記前側連結部は、前記後リンク部材よりも前側に配置されて、前記座受け体と前記ベース部とを各々回動可能に連結する前リンク部材であり、
該前リンク部材は、その上端側を前記座受け体に第一の前回動中心として回動可能に連結されて、その下端側を前記ベース部に前記第一の前回動中心よりも後方を第二の前回動中心として回動可能に連結されており、
前記前リンク部材の上端側に配置された前記第一の前回動中心と、前記前リンク部材の下端側に配置された前記第二の前回動中心との間の距離よりも、前記後リンク部材の上端側に配置された前記第一の後回動中心と、前記後リンク部材の前記第二の後回動中心との間の距離の方が大きい請求項１又は請求項２に記載の椅子。
【発明の詳細な説明】
【技術分野】
【０００１】
本発明は、椅子に関する。より詳しくは、背もたれの後傾動作に連動して座を移動させる体重感応式の椅子に関する。
【背景技術】
【０００２】
この種の椅子では、着座者の座り心地を向上させるため着座者の体の動きに合わせて背もたれ（背アーム）の後傾と連動して座面の後部を後傾移動させることが望ましい。特許文献１の椅子は、人が着座するための座面が設けられた着座部と、この着座部を支持するための座受け部と、座受け部を着座部の下面側から支持するためのベース部と、このベース部を下方から支持するための脚部と、人の背中の荷重を支持するための背もたれと、この背もたれに連結され、この背もたれの後傾動作に伴い回動可能に動作する背アームと、この背アームの後傾動作に伴い着座部を持ち上げるリンク部材とを備える。リンク部材は、着座部と背アームとベース部とを各々回動可能に連結する後リンク部と、後リンク部より前に配置され、着座部とベース部とを各々回動可能に連結する前リンク部とを備える。また後リンク部と前リンク部とによって、背アームの後傾時に、起立方向に回動されながら着座部の座面全体が後傾される。
【先行技術文献】
【特許文献】
【０００３】
【特許文献１】特開２０１２−１０９３８号公報
【発明の概要】
【発明が解決しようとする課題】
【０００４】
しかしながら、上記特許文献１の椅子では、人が着座して背アームに荷重をかけて後傾させる場合、座面全体が後傾すると同時に着座部の前側の座面が大きく上がっていた。そのため、その前側の座面に大腿部があたり、足への圧迫感が大きく座り心地が悪くなる恐れがあった。
【０００５】
本発明は、上記の問題点を鑑みて創案されたものであり、本発明が解決しようとする課題は、座面の後側を後傾させる際に、座面の前側を大きく上げないで着座者の座り心地を向上することにある。
【課題を解決するための手段】
【０００６】
本発明の椅子は、人が着座するための座面が設けられた着座部と、この着座部の下面側に配置されて板状に形成され、着座部が取り付けられることにより上面側が覆われる座受け体と、座受け体の下方に配置されて、座受け体を支持するためのベース部とを備える。また椅子は、着座した人の背中からかかる荷重を支持するための背もたれと、この背もたれの後傾動作に連動して後傾動作する背アームとを備える。また椅子は、座受け体とベース部とを各々回動可能に連結する後リンク部材と、この後リンク部材よりも前側に配置されて、前記座受け体と前記ベース部とを相対的に離間する方向に移動可能に連結する前側連結部とを備える。また椅子は、背アームの後傾動作に抗して付勢する付勢手段とを備える。後リンク部材は、その上端側を座受け体に第一の後回動中心として回動可能に連結されて、その下端側をベース部に第一の後回動中心よりも後方を第二の後回動中心として回動可能に連結されている。前リンク部材は、その上端側を座受け体に第一の前回動中心として回動可能に連結されて、その下端側をベース部に第一の前回動中心よりも後方を第二の前回動中心として回動可能に連結されている。座受け体は、座受け体の前側を形成している座受け前部と、座受け体の後側を形成している座受け後部とで構成され、座受け前部と座受け後部とは、互いに隣接した境界を第一の後回動中心として互いに相対的に回動可能である。また座受け後部は、後リンク部材及び背アームと一体的に回動可能である。さらに背アームの後傾動作に伴い、座受け体が後リンク部材の各回動中心により回動されて、かつ、前側連結部によりベース部と座受け体とが互いに離間する方向に移動されながら、座受け後部、後リンク部材及び背アームは相対的な位置関係を維持した状態で一体的に回動され、さらに、座受け前部が上昇方向へ回動されて第一の後回動中心として座受け前部に対して座受け後部が相対的に下がる方向へ回動される。
【０００７】
この場合、背アームの後傾動作に伴い、座受け体が後リンク部材の各回動中心により回動されて、かつ、前側連結部によりベース部と座受け体とが互いに離間する方向に移動されながら、座受け後部、後リンク部材及び背アームは一体的に連結された状態で回動されるので、人が着座して背もたれに荷重をかけた際、体に密着しながら体に追従して傾くので座り心地が向上する。このとき、座受け前部が上昇方向へ回動され、第一の後回動中心として座受け前部に対して座受け後部が相対的に下がる方向へ回動されるため、座受け前部と座受け後部の前後別々の動きにより、座受け後部（座面）が下方移動（後傾）しても座受け部（座受け前部）の前側が上がりにくくなる。したがって、座受け部の前側で大腿部にあたる圧迫感を軽減できる。
【０００８】
またこの椅子では、着座部は、座受け前部の上面に配置されて着座部の前側の座面を形成している前側座面を有し、背もたれの後傾動作を行っている状態では、この後傾動作を行わず荷重がかかっていない背もたれの起立時の状態よりも、前側座面の後端側が前側座面の前端側よりも相対的に上がった状態で配置されることが好ましい。この場合、座面の前側が大きく上昇することなく座面の後側が下がるため、大腿部を圧迫することを軽減し座り心地が向上する。
【０００９】
またこの椅子では、好ましくは、前側連結部は、後リンク部材よりも前側に配置されて、座受け体とベース部とを各々回動可能に連結する前リンク部材である。この前リンク部材は、その上端側を座受け体に第一の前回動中心として回動可能に連結されて、その下端側をベース部に第一の前回動中心よりも後方を第二の前回動中心として回動可能に連結されている。また前リンク部材の上端側に配置された第一の前回動中心と、前リンク部材の下端側に配置された第二の前回動中心との間の距離よりも、後リンク部材の上端側に配置された第一の後回動中心と、後リンク部材の第二の後回動中心との間の距離の方が大きい。この場合、前リンク部材側の座受け体（座受け前部）の連結部分が、後リンク部材側の座受け体（座受け前部と座受け後部の境界）の連結部分よりも上がりにくくなり、座面の前端側が上がりにくくなるため、人が着座した際に足の大腿部への接触が軽減されて座り心地が向上する。
【００１０】
またこの椅子では、後リンク部材は、弾性的に付勢するばね部材を連結するための後リンク連結部を備え、付勢手段は、ばね部材の一端側を後リンク連結部に回動可能に連結することが好ましい。この場合、後リンク部材を規制しながら一体的にスムーズに回動し、付勢手段によって背もたれが後傾状態から起立状態へ戻り易くなり、背もたれの起立時と背もたれの後傾時との相互の切り替えにおいて着座者に違和感を与えない。
【発明の効果】
【００１１】
本発明によれば、座面の後側を後傾させる際に、座面の前側を大きく上げないで着座者の座り心地を向上することができる。
【図面の簡単な説明】
【００１２】
【図１】本発明の一実施形態に係る椅子の斜視図である。
【図２】図１に示される椅子のＡ−Ａ断面図である。
【図３】図１及び図２に示される椅子を部分的に拡大して模式的に示した側面図である。
【図４】図１に示される椅子の座受け体及びベース部の斜視図である。
【図５】図１に示される椅子のベース部及び背もたれの斜視図である。
【図６】図２に示される座受け体の下面側を部分的に拡大して示した斜視図である。
【図７】図１に示される椅子を下方から見た斜視図である。
【図８】図１に示される椅子の分解図である。
【図９】図８に示されるベース部を拡大して示した分解図である。
【発明を実施するための形態】
【００１３】
本発明の一実施形態について説明する。本実施形態の椅子１は、一人掛け用の椅子であり例えば、事務用としてオフィス等で使用される。なお、各図において示される上下や前後左右の矢印は、椅子１における上下や前後左右を示している。
【００１４】
図１及び図２に示される椅子１は、人が着座するための座面４ａが設けられた着座部４と、この着座部４が取り付けられることにより上面側が覆われる座受け体８とを備える。また椅子１は、座受け体８の下方に配置されて、座受け体８を支持するためのベース部１０と、このベース部１０を下方から支える脚６を備える。また椅子１は、座受け体８とベース部材１０とを回動可能に連結する後リンク部材３０及び前リンク部材５０を備える。また椅子１は、着座者の背中からかかる荷重を支持するための背もたれ２と、この背もたれ２の後傾動作に連動して後傾動作する背アーム２０とを備える。また椅子１は、背アーム２０の後傾動作に抗して付勢するばね部材６０を備える。
【００１５】
図１に示される着座部４は、発泡ウレタン等のクッション材で形成されており、平面視で、矩形状に形成された部位である。着座部４の座面４ａは、全体として略水平に配置されている。詳しくは、着座部４の座面４ａの中央部分は、図２に示すように前端側がやや下方に傾斜しており、後端側がやや上方に傾斜した状態で配置されている。着座部４は、図２及び図３に示すように裏面側に配置された座受け体８によって支持されている。着座部４は、その前側の座面を形成している前側座面４２と、着座部４の後側の座面を形成している後側座面４４とを備える。前側座面４２は、人が着座する際に主に大腿部に接触する部位である。後側座面４４は、人が着座したときに荷重がかかり易い部位であり、複数の凹部４０を有する。凹部４０は、背もたれ２の回動（揺動）動作により着座部４の前側座面４２と、後側座面４４との間で行われる曲げ動作をよりフレキシブルにするために設けられた凹みである。凹部４０は、図１に示すように着座部４の左右方向の一端側から他端側にかけて、帯状に形成されている。複数の凹部４０は、前後方向に並んで複数本（本実施形態では３本）配置されている。
【００１６】
図２に示される座受け体８は、着座部４を支持するための部位であり、平面視で矩形状に形成された板状の部位である。座受け体８は、着座部４の下面（裏面）側に配置されている。座受け体８は、座受け前部８２と、座受け後部８４と備える。
【００１７】
座受け前部８２は、前側座面４２に対して裏面側に配置されている部位である。座受け前部８２は、平板状の部材である。座受け前部８２は、図２に示すようにその裏面側に後述する前リンク部材５０を回動可能に支持するための支持部８２ｄを備える。支持部８２ｄは、前リンク部材５０の上端側の形状に沿って、略湾曲状に形成されており、座受け前部８２の略中央に配置されている。座受け前部８２は、図４及び図８に示すように略中央部分に孔８２ａ、８２ｂが設けられている。孔８２ｂは、左右両側に一対設けられおり、前リンク部材５０の上端側を回動する前上回動部５２が外れないようにするためのストッパー５６が配置されている。孔８２ａは、一対の孔８２ｂの間の略中央に配置されており、その孔８２ａの前側の縁は、ストッパー５６の上面に設けられた係合部５６ａにより、係合されている。ストッパー５６の両側は、爪を有する一対の係合部５６ｂが設けられている。その係合部５６ｂによって、ストッパー５６の両側が座受け前部８２の裏面側に引っ掛けられて固定される。座受け前部８２の後端は、図８に示すように左右両側に左右方向に挿通可能に形成された一対の差込孔８２ｃが設けられている。一対の差込孔８２ｃは、後述する棒状の後上回動軸３３を通すための差込孔である。
【００１８】
座受け後部８４は、図２及び図３に示すように後側座面４４に対して裏面側に配置されている部位である。座受け後部８４は、左右方向に延びた平板状の部材である。座受け後部８４の略中央の左右両端側は、図８に示すように一対の孔８４ｂが設けられている。一対の孔８４ｂは、ビス等により背アーム２０に連結するために設けられた孔である。一対の孔８４ｂの内側は、一対の孔８４ａが設けられている。一対の孔８４ａは、ビス等により背アーム２０及び後リンク部材３０に連結するために設けられた孔である。一対の孔８４ａ、８４ｂへ、ビス等を挿通することにより、座受け後部８４（座受け体８）は、背アーム２０及び後リンク部材３０へ連結して固定される。座受け後部８４の前端の左右の両端側は、図４に示すように左右方向に差込ができる一対の差込孔８４ｃが設けられている。一対の差込孔８４ｃは、座受け後部８４の左右方向の内側が開放され、その外側が封鎖された筒状の差込孔である。一対の差込孔８４ｃは、図８に示すように各々座受け後部８４の前端側から一対突出した形状で形成されている。その一対の差込孔８４ｃと座受け前部８２の一対の差込孔８２ｃとへ、後上回動軸３３が各々差し込まれて回動可能に連結されている。その連結される際の配置は、図８に示すように座受け後部８４側の一対の差込孔８４ｃよりも、座受け前部８２側の一対の差込孔８２ｃの方が内側になるように配置される。そうすることで、座受け前部８２と座受け後部８４とは、図７に示すように互いに隣接した境界に配置された後上回動軸３３により第一の後回動中心３２ａとして相対的に回動可能になっている。
【００１９】
ベース部１０は、図４に示すように上方が開放された箱状の部位である。ベース部１０は、図９に示すように底面１０ｘと、側面部１０ｙとを備える。底面１０ｘは、ベース部１０の下端側に配置された面の上面側を形成する部位である。底面１０ｘは、孔１０ｃを有しており、その孔１０ｃに脚６（脚柱部６６）が挿通されている。ベース部１０は、脚６が挿通した状態でベース部１０と脚６が連結されて固定されている。脚６は、図１及び図２に示すようにベース部１０を支持するための部位である。脚６は、複数本の棒状の骨格で構成される枝部６２と、中心に上下方向に柱状に形成されている脚柱部６６とを備える。脚柱部６６は、上端側がベース部１０に連結されている。脚柱部６６は、金属製の棒状の支柱部６６ａと、その支柱部６６ａを覆う脚柱カバー６６ｂとを備える。枝部６２は、脚柱部６６から複数方向に向けて輻射状に形成されており、各々の枝部６２の先端部は、キャスター６４が取り付けられている。
【００２０】
側面部１０ｙは、図９に示すようにベース部１０の左右の側に配置された面を形成する部位である。一対の側面部１０ｙは、図２に示すように前リンク部材５０及び後リンク部材３０の下端側と回動可能に連結されている。図９に示される一対の側面部１０ｙは、前リンク部材５０を回動可能にするための前下回動軸５１を挿通するための一対のベース部前孔１０ａと、後リンク部材３０を回動可能にするための後下回動軸３１を挿通するための一対のベース部後孔１０ｂとが設けられている。一対の側面部１０ｙの間には、図２に示すようにベース部１０を補強するためのベース部補強材１４が配置されている。
【００２１】
ベース部補強材１４は、図９に示すようにベース部１０の内部に沿って前後方向に板状に形成されている部材である。ベース部補強材１４の略中央は、図９に示すようにベース部１０の孔１０ｃと重なるようにして配置するための孔１４ｃが設けられている。ベース部補強材１４の後側は、図２に示すように後方に向けて谷折り山折りの順に曲げられて形成されて配置されている。そうすることで、ベース部補強材１４の後端側に略水平な面１４ａが形成されて配置されている。面１４ａは、図２及び図９に示すようにベース部１０の底面１０ｘから離間した状態で後端側に配置されており、ベース部１０の上端と略同じ高さになるように配置されている。面１４ａの上面側には、図２及び図９に示すように後リンク部材３０の回動（揺動）を止めるための後述する制止部材１２が接続して設けられている。
【００２２】
背アーム２０は、図２及び図３に示すようにベース部１０に対して後端側に配置されており、側面視で、略Ｌ字状に形成されている。背アーム２０の一端側（上端側）は、背もたれ２に連結されている。背アーム２０の他端側（下端側）は、後リンク部材３０と、座受け体８（座受け後部８４）とに連結されている。背もたれ２は、図２に示すように側面視で人の背面に沿うような湾曲状に形成されており、正面視で矩形状に形成された板状の部材である。図２及び図３に示される背もたれ２は、着座者が荷重をかける前面側に対して後面側は、背アーム２０に連結されて配置されている。背アーム２０の後面側の略中央で、左右に長細い略直方体状に形成されたブラケット２２を介して、背アーム２０にビス等により連結されている。
【００２３】
図８に示される背アーム２０の他端側（下端側）の上面側は、座受け後部８４（座受け体８）が連結される。座受け後部８４に設けられた一対の孔８４ａと、背アーム２０の前側に設けられた一対の孔２０ｂとへ各々ビスを挿通することで一体的に連結して固定される。また座受け後部８４に設けられた一対の孔８４ｂと、背アーム２０の前側で一対の孔２０ｄよりも左右方向で外側に設けられた一対の孔２０ｄとへ各々ビスを挿通することでも連結して固定される。またその一方で、背アーム２０の他端側の下面側は、後リンク部材３０が連結されている。
【００２４】
後リンク部材３０は、図９に示すように左右両端側が下方へ向けて折り曲げられた板状の部材である。後リンク部材３０は、側面部３０ｙと、上面部３０ｘと備える。後リンク部材３０は、図３に示すようにその上端側が第一の後回動中心３２ａとして座受け体８に回動可能に連結される。後リンク部材３０は、その下端側が第一の後回動中心３２ａよりも後方を第二の後回動中心３４ａとしてベース部１０に回動可能に連結される。また後リク部材３０は、背アーム２０に連結されて固定されている。後リンク部材３０の上面側は、図３に示すように背アーム２０に連結されて固定されている。
【００２５】
図９に示される側面部３０ｙは、後リンク部材３０の側面を形成している板状の部位である。側面部３０ｙの後側は、その上端に隣接して上面部３０ｘが配置されている。側面部３０ｙの前側は、上面部３０ｘの前端の位置から延設して突き出ている。側面部３０ｙは、第一の後回動中心３２ａとして回動可能にするための一対の後上回動孔３２と、第二の後回動中心３４ａとして回動可能するための一対の後下回動孔３４と、後上回動孔３２と後下回動孔３４との間に配置されて、後述するばね部材６０を連結する棒状の軸３５を取り付けるための一対の長孔３６を備える。長孔３６は、後方に膨らむ略円弧状に形成された孔である。長孔３６に挿通された軸３５は、その軸３５の中央にばね部材６０を回動可能に連結して配置されている。なお、軸３５は、本発明の「後リンク連結部」に相当する。
【００２６】
図４及び図５に示される一対の側面部３０ｙの突き出た前側の上端側は、棒状に形成された金属製の後上回動軸３３を一対の後上回動孔３２に各々挿通させて回動可能に配置されている。後上回動軸３３は、前述した座受け前部８２と座受け後部８４とを連結して第一の後回動中心３２ａとして回動可能にするためのものである。後上回動軸３３は、図９に示すように後リンク部材３０の両端に、回動を容易にするための一対の軸受３３ａを介して取り付けられる。軸受３３ａは、円状の縁を有した輪状の部材である。後上回動軸３３は、図８に示すように左右方向の内側から外側にかけて、座受け前部８２の後端側に設けられている一対の差込孔８２ｃ、一対の後上回動孔３２、座受け後部８４の前端側で左右方向の両端に設けられた一対の差込孔８４ｃの順に回動可能に差し込まれて取り付けられる。
【００２７】
図８及び図９に示される一対の側面部３０ｙの突き出た前側の下端側は、棒状に形成された金属製の後下回動軸３１を一対の後下回動孔３４に挿通させ、ベース部１０の一対のベース部後孔１０ｂを挿通させて回動可能に連結した状態で配置されている。図９に示される後下回動軸３１は、後リンク部材３０の両端に、回動を容易にするための一対の軸受３１ａを介して取り付けられている。軸受３１ａは、円状の縁を有した輪状の部材である。
【００２８】
上面部３０ｘは、図２及び図６に示すようにその下面側（裏面側）に制止部材１２に接触して制止させるための板状の制止接触部３７が設けられている。制止接触部３７は、上面部３０ｘ（後リンク部材３０）の下面側（裏面側）に溶接等で一体的に接続されている。制止接触部３７は、背もたれ２（背アーム２０）の起立状態のとき、制止部材１２に接触して背もたれ２を制止させている。制止部材１２は、図２に示すように断面略逆Ｕ字状に形成されている。制止部材１２は、図９に示すようにベース部１０に配置された面１４ａの略中央に配置されて接続される制止部材本体１２ａと、その制止部材本体１２ａの上面側から後面側にかけて覆われる制止接触部１２ｂと、制止部材本体１２ａと制止接触部１２ｂとをビス等により固定するための孔１２ｃとを備える。制止接触部１２ｂの上面側は、背もたれ２が後傾状態のときに接触させて制止するために設けられた部位である。制止接触部１２ｂの後面側は、背もたれ２が起立状態のときに接触させて制止するために設けられた部位である。背もたれ２の後傾状態では、図２に示すように後リンク部材３０（上面部３０ｘ）の下面側の前端部分が、制止接触部１２ｂと接触して制止される。
【００２９】
またその一方で、上面部３０ｘは、その後側に設けられた一対の孔３０ｂと、背アーム２０の後側に設けられた一対の孔２０ｃとへ各々ビス等を挿通することで一体的に連結して固定される。上面部３０ｘは、その前側に設けられた一対の孔３０ａと、背アーム２０の前側に設けられた一対の孔２０ｂとへ各々ビス等を挿通することで一体的に連結して固定される。そうすることで、上面部３０ｘは、前述した座受け後部８４の一対の孔８４ａと、背アーム２０の一対の孔２０ｂと、後リンク部材３０の一対の３０ａとが、上からこの順で、上面側から３つの部材にビスが挿通されて一体的に連結される。そうすることで、背アーム２０が座受け後部８４（座受け部８）後リンク部材３０の間に挟まれた状態で連結される。したがって、座受け後部８４は、後リンク部材３０及び背アーム２０に一体的に連結された状態で回動できる。
【００３０】
後リンク部材３０及び背アーム２０の下面側（裏面側）は、図２に示すように背アームカバー２４が配置されている。背アームカバー２４は、図８に示すようにその後端側に設けられた複数（本実施形態では３つ）の係合爪２４ｂとで係合されている。その係合爪２４ｂに後リンク部材３０が係合された状態で、背アームカバー２４の前端側に設けられた一対の孔２４ａと、背アーム２０の最も前端側に設けられた一対の孔２０ａとにビスを挿入して一体的に連結することによって固定される。このようにして、図９で示される背アームカバー２４の前端側と後端側とが各々連結されることで、後リンク部材３０と背アームカバー２４とが、背アーム２０を間に挟んだ状態で固定される。
【００３１】
前リンク部材５０は、図９に示すようにその下端側の一部が切り欠かれ、矩形状のやや厚みのある板状の部材である。前リンク部材５０の上端側は、図２及び図３に示すように後述する後リンク部材３０よりも前側に配置されている。前リンク部材５０の上端側は、座受け体８に第一の前回動中心５２ａとして回動可能に連結される。前リンク部材５０の下端側は、第一の前回動中心５２ａよりも後方に配置された第二の前回動中心５４ａとしてベース部１０に回動可能に連結される。前リンク部材５０は、第一の前回動中心５２ａとして回動可能にするための前上回動部５２と、第二の前回動中心５４ａとして回動可能にするための前下回動孔５４とを備える。
【００３２】
図２に示される前リンク部材５０の上端側に配置された前上回動部５２は、座受け部８（座受け前部８２）と回動可能に連結されている。前上回動部５２は、その外周が側面視で略円弧状に形成されている。その連結される際は、前上回動部５２の位置がずれないようにするためのストッパー５６が設けられている。ストッパー５６は、その前面側を前上回動部５２の面の形状に沿って湾曲された柱状に形成された部材である。ストッパー５６の上面側は、座受け前部８２の上面側から係合するための係合部５６ａが設けられている。前上回動部５２は、座受け部８とストッパー５６との間に挟まれた状態で回動可能に配置されている。前リンク部材５０の下端側は、棒状に形成された金属製の前下回動軸５１を一対の前下回動孔５４に挿通させ、さらにベース部１０の一対のベース部前孔１０ａに挿通させて配置することで、回動できる。前下回動軸５１は、その前下回動軸５１の中央に後で詳述するばね部材６０を回動可能に連結して配置されている。
【００３３】
ばね部材６０は、図９に示すように金属線を円筒状に巻いたコイルばねである。ばね部材６０の両端は、伸縮方向に延設された引っ掛け部６０ａ、６０ｂを有する。ばね部材６０の一端側の引っ掛け部６０ａは、図６に示すようにばね部材６０の前端側を前下回動軸５１に連結するための前連結部６１に係止されている。ばね部材６０の他端側の引っ掛け部６０ｂは、ばね部材６０の後端側を軸３５に連結するための後連結部６３に係止されている。前連結部６１は、筒状の部位を有する部材であり、略中央に筒状の部位の長手方向に対して垂直方向に延設された板状の部位を有して形成されている部材である。後連結部６３は、筒状の部位を有する部材であり、略中央に筒状の部位の長手方向に対して垂直方向に延設された板状の部位を有して形成されている部材である。前連結部６１の延設された板状の部位は、ばね部材６０の前端側に連結されており、後連結部６３の延設された板状の部位は、ばね部材６０の後端側に連結されている。軸３５は、後連結部６３を介してばね部材６０が回動可能に取り付けられた状態で、一対の長孔３６の上側に各々差し込まれる。その差し込まれた状態で軸３５は、各長孔３６の円弧状の形状に沿って下方へ摺動させて、各長孔３６の最も下側に移動したとき、固定される。そうすることで、背アーム２０の後傾動作に抗して、ばね部材６０が前後方向に付勢することが可能な状態で配置される。このようにして、ばね部材６０は、前後に前連結部６１と後連結部６３とで各軸に回動可能に連結されており、背アーム２０の起立時と後傾動作との交互の動作に応じてばね部材６０が前後方向に伸縮可能に配置される。なお、ばね部材６０は、本発明の「付勢手段」に相当する。
【００３４】
次に、背もたれ２の起立時の状態と、背もたれ２の後傾時の状態とにおける位置関係と回動機構について詳細を説明する。図２及び図３に示される椅子１は、実線により背もたれ２が起立時の状態を示し、想像線により背もたれ２の後傾時（後）の状態を示す。座受け後部８４は、後リンク部材３０及び背アーム２０に一体的に連結された状態で回動するとき、背アーム２０の後傾動作に伴い、座受け体８が後リンク部材３０及び前リンク部材５０の各回動中心により回動される。その回動をしつつ、座受け後部８４、後リンク部材３０及び背アーム２０は、相対的に位置関係を維持しながら別部材が一体的に組み合わされて連結された状態で回動される。さらに、座受け前部８２が上昇方向へ回動されて、第一の後回動中心３２ａとして座受け前部８２に対して座受け後部８４が相対的に下がる方向へ回動される。
【００３５】
図２及び図３に示される座受け後部８４の後端側は、背もたれ２の起立時において、第一の後回動中心３２ａよりも高い位置で制止接触部１２ｂの後面側に接触して制止されており、座受け前部８２に対して上方へ向けて屈曲した状態で配置されている。このとき、座受け前部８２は、略水平状態となっているため、座受け後部８４の後端側の上面は、座受け前部８２よりも上方へ上がった状態で配置されている。座受け後部８４の後端側は、背もたれ２の後傾開始から、最も後傾した状態になるまでに、下方に向けて回動される。その回動によって下方に移動され、座受け後部８４が背もたれ２が最も後傾した状態（後リンク部材３０が制止部材１２の上面側に配置されている制止接触部１２ｂに接触した状態）で座受け前部８２と同様に略水平状態になる。この場合、着座部４の後側座面４４は、背もたれ２の起立時においてその座面が略水平状態に配置されているのに対し、背もたれ２が最も後傾した状態のときにおいてその座面が後傾した状態で配置される。
【００３６】
図２及び図３に示されるこの回動において前リンク部材５０の上端側に配置された第一の前回動中心５２ａと、前リンク部材５０の下端側に配置された第二の前回動中心５４ａとの間の距離Ｌ１よりも、後リンク部材３０の上端側に配置された第一の後回動中心３２ａと、後リンク部材３０の第二の後回動中心３４ａとの間の距離Ｌ２の方が大きくなっている。前リンク部材５０の第一の前回動中心５２ａと前リンク部材５０の第二の前回動中心５４ａとを結んだ線分と、水平方向との傾斜角度αと、後リンク部材３０の第一の前回動中心５２ａと後リンク部材３０の第二の後回動中心３４ａとを結んだ線分と、水平方向との傾斜角度βとは、略同じ角度である。傾斜角度αと傾斜角度βとは、背もたれ２の起立時の状態で４０°〜６０°程度に配置されており、背もたれ２の後傾動作（後傾開始時を含む）の状態で、４０°〜８０°程度に配置される。そのため、背もたれ２の起立時の状態と、背もたれ２の後傾時の状態とを比較して第一の後回動中心３２ａの高さ変位Ｈ２と、第一の前回動中心５２ａの高さ変位Ｈ１とを比較して、変位Ｈ２の方が大きくなる。即ち、着座部４において、背もたれ２（背アーム２０）の後傾動作を行っている状態では、背もたれ２の後傾動作を行っていない背もたれ２の起立時の状態よりも、座受け前部８２（着座部４の前側座面４２）の後端側が座受け前部８２の前端側よりも相対的に上がった状態で配置される。またこのとき背もたれ２の起立時の状態よりも、背もたれ２の後傾動作を行っている状態の第一の前回動中心５２ａ及び第一の後回動中心３２ａの位置は、後側に配置される。
【００３７】
本実施形態は、以下のような作用効果を有する。本実施形態の椅子１において、座受け体８は、座受け体８の前側を形成している座受け前部８２と、座受け体８の後側を形成している座受け後部８４とを備える。また座受け前部８２と座受け後部８４とは、互いに隣接した境界を第一の後回動中心３２ａとして互いに相対的に回動可能である。また座受け後部８４は、後リンク部材３０及び背アーム２０と一体的に回動可能である。さらに背アーム２０の後傾動作に伴い、座受け体８が後リンク部材３０の各回動中心により回動されて、かつ、前側連結部によりベース部１０と座受け体８とが互いに離間する方向に移動される。さらに、このとき移動されながら、座受け後部８４、後リンク部材３０及び背アーム２０は相対的な位置関係を維持した状態で一体的に回動され、さらに、座受け前部８２が上昇方向へ回動されて、第一の後回動中心３２ａとして座受け前部８２に対して座受け後部８４が相対的に下がる方向へ回動される。
【００３８】
そうすることで、座受け後部８４は、背アーム２０の後傾動作に伴い、座受け体８が後リンク部材３０の各回動中心により回動されて、かつ、前側連結部によりベース部１０と座受け体８とが互いに離間する方向に移動される。さらに、このとき移動されながら、座受け後部８４、後リンク部材３０及び背アーム２０は一体的に連結された状態で回動されるので、人が着座して背もたれ２に荷重をかけた際、体に密着しながら体に追従した動きで座り心地が向上する。また座受け前部８２が上昇方向へ回動され、第一の後回動中心３２ａとして座受け前部８２に対して座受け後部８４が相対的に下がる方向へ回動されるため、座受け前部８２と座受け後部８４の前後別々の動きにより、座受け後部８４（座面）が下方移動（後傾）しても座受け部８（座受け前部８２）の前側が上がりにくくなる。したがって、人が着座した際に座受け部８の前側があたって大腿部を圧迫しにくくなる。
【００３９】
またこの椅子１では、着座部４は、座受け前部８２の上面に配置されて着座部４の前側の座面を形成している前側座面４２を有し、背もたれ２の後傾動作を行っている状態では、この後傾動作を行わず荷重がかかっていない背もたれ２の起立時の状態よりも、前側座面４２の後端側が前側座面４２の前端側よりも相対的に上がった状態で配置される。そうすることで、座面の前側が大きく上昇することなく座面の後側が下がるため、人が着座した際に、大腿部を圧迫することがなく座り心地が向上する。
【００４０】
またこの椅子１では、前側連結部は、後リンク部材３０よりも前側に配置されて、座受け体８とベース部１０とを各々回動可能に連結する前リンク部材５０である。この前リンク部材５０は、その上端側を座受け体８に第一の前回動中心５２ａとして回動可能に連結されて、その下端側をベース部１０に第一の前回動中心５２ａよりも後方を第二の前回動中心５４ａとして回動可能に連結されている。前リンク部材５０の上端側に配置された第一の前回動中心５２ａと、前リンク部材５０の下端側に配置された第二の前回動中心５４ａとの間の距離Ｌ１よりも、後リンク部材３０の上端側に配置された第一の後回動中心３２ａと、後リンク部材３０の第二の後回動中心３４ａとの間の距離Ｌ２の方が大きい。そうすることで、前リンク部材５０側の座受け体８（座受け前部８２）の連結部分が、後リンク部材３０側の座受け体８（座受け前部８２と座受け後部８４の境界）の連結部分よりも上がりにくくなり、座面の前側が上がりにくくなるため、人が着座した際に足の大腿部への接触が軽減されて座り心地が向上する。
【００４１】
またこの椅子１では、後リンク部材３０は、弾性的に付勢するばね部材６０を連結するための軸３５を備え、ばね部材６０は、その一端側を軸３５に回動可能に連結される。そうすることで、後リンク部材３０を規制しながら一体的にスムーズに回動し、ばね部材６０によって背もたれ２が後傾状態から起立状態へ戻り易くなり、背もたれ２の起立時と背もたれ２の後傾時との相互の切り替えにおいて着座者に違和感を与えない。
【００４２】
またこの椅子１では、ばね部材６０は、その一端側が後リンク部材３０に配置された軸３５と、他端側が前リンク部材５０に配置された前下回動軸５１とに各々回動可能に連結される。そうすることで、ばね部材６０の連結部位を前下回動軸５１以外に設ける必要がなく、部品点数の削減になる。
【００４３】
本実施形態の椅子は、上述した実施形態に限定されるものではなく他の形態でも実施できる。本実施形態では、椅子１は、事務用の椅子に適用したがこれに限られるものではない。他の種類や用途の椅子に適用してもよい。
【００４４】
また本実施形態の背もたれ２は、背アーム２０とは別部材として連結して適用したがこれに限られるものでない。背もたれ２と背アーム２０とを一体的にして同じ部材として形成してもよい。
【００４５】
また本実施形態のばね部材６０の一端側が後リンク部材３０に配置された軸３５へ、他端側が前リンク部材に配置された前下回動軸５１へ回動可能に連結したがこれに限られるものではない。他端側を別の部位に連結して付勢可能にしてもよい。
【００４６】
また本実施形態の前側連結部は、前リンク部材５０としたがこれに限られるものではない。前リンク部材５０を設けないでベース部１０と座受け体８とを直接連結して前側連結部としてもよい。この場合、ベース部１０又は座受け体８のどちらか一方に長孔を設け、長孔を設けない他方に円柱状（棒状）の連結軸を設けて、この長孔内で円柱状の連結軸が移動可能に連結してもよい。即ち、この前側連結部は、後リンク部材よりも前側に配置されて、座受け体８とベース部１０とを相対的に離間する方向に移動可能に連結される。さらにこの場合、図３に示される背アーム２０の後傾状態となる前の実線部分の前リンク部材５０の第一の前回動中心５２ａと、背アーム２０の後傾状態となった後の想像線部分の前リンク部材５２の第一の前回動中心５２ａとの軌道に沿った円弧状の距離と同等の長さでこの長孔を設けてもよく、又はこの軌道位置にこの長孔を設けてもよい。その際の長孔は、連結軸が入る大きさであればよく、円弧状でもよいし、直線状（円柱状の連結軸よりやや幅広にすることが好ましい。）にしてもよい。
【符号の説明】
【００４７】
１   椅子
２   背もたれ
４   着座部
４ａ 座面
６   脚
８   座受け体
１０   ベース部
２０   背アーム
３０   後リンク部材
３２ａ 第一の後回動中心
３４ａ 第二の後回動中心
３５   軸
４２   前側座面
４４   後側座面
５０   前リンク部材
５２ａ 第一の前回動中心
５４ａ 第二の前回動中心
６０   ばね部材
８２   座受け前部
８４   座受け後部
Ｌ１   距離
Ｌ２   距離
【図１】
0006618691.tif 000002
【図２】
0006618691.tif 000003
【図３】
0006618691.tif 000004
【図４】
0006618691.tif 000005
【図５】
0006618691.tif 000006
【図６】
0006618691.tif 000007
【図７】
0006618691.tif 000008
【図８】
0006618691.tif 000009
【図９】
0006618691.tif 000010